(57)【要約】      （修正有）【課題】従来の洗濯バサミはＶ字型の挟み片を開閉する弾圧力が強すぎる為、弾圧力を弱めソフトに動かせる洗濯バサミを提供する。【解決手段】リング形態の内部に磁石Ａ、Ｂと押しバネ１４、１５を内蔵させてソフトに動かせるようにした洗濯バサミ１。【効果】高齢者の手や指に負担の少ない洗濯バサミとして活用できる。又、文房具用、手芸用の留め具としても活用できる。更に、手や指の運動用にも活用でき、安全に手や指のリハビリが行える。【選択図】図３
2007252890.tif 000002
【特許請求の範囲】
【請求項１】
新規な洗濯バサミ図１の、本体内部中心を区切り、左右に１個ずつ押しバネを付ける、本体に開けた貫通孔から、アームに付けたレバーを飛び出させる、アームの先端に挟着面がありレバーを開閉操作すると洗濯物を挟む、離す、また、アームのレバーの反対側に磁石Ｂがあり本体アームの出入り口の上部に磁石Ａが付けられてある、レバーを上下に開閉時はスライドするが、挟着面を閉じる時には磁石同志は凹凸の関係の位置になり重なる、洗濯物を挟みレバーを下げると押しバネの圧縮が解かれ挟着面をしっかり閉じる構造。
【請求項２】
新規な洗濯バサミ図５の、本体内部に磁石Ａと磁石Ｂがあり、磁石が常に重なっている部分Ｃがある、本体に開けた貫通孔からアームに付けたレバーを飛び出させる、磁石とアームと挟着面が一体化して作られる、本体の前面と後面に飛び出させてあるレバーを左右に磁石のスライドで、開閉操作する構造の新規な洗濯バサミである。
【請求項３】
この、文房具用留め具、手芸用留め具、手や指の運動器具に新規な洗濯バサミの『請求項１』『請求項２』の機能をそのままで材質を適宜にして商品化する。
【発明の詳細な説明】
【技術分野】
【０００１】  本発明は、新規な洗濯バサミに関するものである。しかし、この新規な洗濯バサミは、新規な洗濯バサミのみならず多才な用途を持ち、そのままで文房具用、手芸用の留め具として活用できる。そのままで手や指の運動用に活用でき安全に手や指のリハビリ用に、お年寄りの方のディサービースの際に集団でも、手や指運動用に椅子にかけた状態で音楽に合わせリズム体操に持ちえることができる、安全に使える新規な洗濯バサミである。
【背景技術】
【０００２】  従来の洗濯バサミは、コイルやバネを使用しているものは多い、一対のＶ字型で挟み片を指で開閉操作して中間部分にある弾圧部材の弾圧力で機能させるものであるが、このＶ字の羽の部分が少し劣化すると折れやすい、また、弾圧力が強すぎるものもある、この弾圧力が強いと良い面と弾圧力が強いと悪い面もある。
弾圧力が強くても健康な人には自然に受け入れられるが、体調の悪い時に辛いものである、また、握力の弱い人にも辛いものである、また、時代は熟年層が多くなり加歳と共に筋肉も弱くなり握力も落ちる、手や指に負担も少ない洗濯バサミが必要な時代にきた。
【発明の開示】
【発明が解決しょうとする課題】
【０００３】  従来から愛されてきた洗濯バサミは、Ｖ字型を縦に横に太く細くと、変形させ多くの洗濯バサミができた、他の商品のように大きく変化はしない。色彩の定番色のブルー、ピンク系が多いがこの辺で色彩も洗濯バサミも楽しいものも必要と考える。
【０００４】  本発明の新規な洗濯バサミは、健康な人も、握力の弱い人も楽に使えるものである。
発明の切っ掛けは、海辺の磯で小さい可愛いハサミを上下に動かし剽軽で愛くるしい蟹の仕草がヒントになり、滑らかに動かせる磁石を利用して新規な洗濯バサミを発明した。
【０００５】  上述したような、目的を達成するためにソフトな動きがだせるリング形態にして開閉操作がスムーズにでき、手や指の負担が少ないデザインにした、図面の図１〜８に記載。
記載のリングばかりではなく、新規な洗濯バサミに内蔵させた部材がうまく機能する形態であれば変形した形でも構わない。
【課題を解決するための手段】
【０００６】  次に、新規な洗濯バサミの材質に関しては、従来の合成樹脂でよい。また、新しい良い適宜な材質も良い。上記したように水に濡れない所での利用のものでは文房具用や手芸用の留め具、手や指の運動用に持ちえるものは木製や軽い金属製でも良い。木製等に作ることで手触りのよい温かみのあるものになる、金属製も高級感をだせる。金属を使う場合には磁石との相性を考慮する必要がある。
【０００７】  次に、色彩に関しては、従来からの定番色のブルー、ピンク系も良い。次にパステルカラーの色あいで何色かの色を組合せにして１セットにして販売する方法。次に単色で例えば、グリーン、赤、紫等単色でインパクトのある人が好む色をマーブル調で１セットで販売する方法。大胆にお洒落なものも熟年層の人は好む、下記するマーブル調も楽しい。
大胆に、黒い色に金色を混ぜて作るマーブルの新規な洗濯バサミ。
大胆に、黒い色に銀色を混ぜて作るマーブルの新規な洗濯バサミ。
【発明の効果】
【０００８】  新規な洗濯バサミは、磁石の持つ力の縦横無人に動かせる方法でソフトに動かせる。
磁石同志は、Ｎ極とＳ極の関係でお互いに引き合い仕事をする、新規な洗濯バサミの本体に開けた貫通孔の中を定めた距離をレバーを動かし開閉操作することで挟む、離すことができる。磁石は、家庭やオフィスで多く使われている安価な磁石で充分に役目を果たす。本発明の新規な洗濯バサミは多才に活用できることで、コストも安価にできる。
【０００９】  新規な洗濯バサミの持ち方と使い方は自分流の使い方で一向に構わない、図面を参照して実施例第１で図面１。
手の内側に入れ、中指、薬指、小指でグリップする、図１−４、５は本体に開けた貫通孔で図１−２、３はレバー、そのレバーは本体の外部に飛び出している、開閉操作でレバーを貫通孔内距離を移動することで洗濯物を挟む、離すことができる構造である、本体のアームの上下する出入り口部分の内部にレバーと反対に磁石が取り付けられている、アーム側の磁石と本体の磁石の取り付けられた部分は凹凸の関係ができる位置に取り付けて、お互いに引き合い開閉操作できる位置関係の構造にする、また、図１は、上下に移動することで内部に押しバネも入れ圧縮したら元に戻し挟着面をしっかり閉じる役目をさせる構造である、親指と人差し指で左右のレバーを開閉操作して洗濯物をしっかり留める。
【００１０】  新規な洗濯バサミの持ち方と使い方は自分流の使い方で一向に構わない、図面を参照して実施例第２で図面５。
手の内側に入れ、中指、薬指、小指でグリップする、図５−４、５は本体に開けた貫通孔で図５−２、３はレバー、そのレバーは本体の外部に飛び出している、開閉操作でレバーを貫通孔内距離を移動することで洗濯物を挟む、離すことができる構造である、前面と後面にレバーがありレバーを開閉操作することで内部の磁石のＡとＢがあるＣの部分は常に合わさり重なっている、レバーを開閉操作することで挟着面を開く、閉じるの動作で洗濯物を挟む、離す仕事をする構造で親指と人差し指で動かす、両手を使っても構わない。
洗濯物の厚さで片側を開く、両側を開く、両手を使い挟む、自分流で一向に構わないが慣れると楽に便利に使える新規な洗濯バサミである。
【００１１】  図面８で記載した新規な洗濯バサミは、図１−１２、図５−１２の吊る所を使うと洗濯干しが簡単にできる。
【発明を実施するための最良の形態】
【００１２】  以下、本発明を実施する最良の形態を、図面を参照しながら詳細に説明する。まず、実施の形態に係わる第１実施の新規な洗濯バサミは、図１−３−（ａ）で示すように新規な洗濯バサミの本体内部に磁石Ａがある。本体内部の中心に仕切り図３−１３の仕切りの左右に１個づつ押しバネが入り仕切り部分に取り付けられている。次に、アームにはレバーの反対側に磁石Ｂがあり本体の磁石とアームの磁石で凹凸の関係ができる。アームの押しバネと接する所を広くして押しバネを圧縮できるように作る、アームは図３−１０と１１の挟着面と一体化になる、親指と人差し指で開閉操作をし滑らかにスムーズに動かせる。【００１３】  本発明に係わる第２実施の新規な洗濯バサミで図７−（ａ、ｂ、ｃ）で示したように内部構造を説明したい、（ａ）は磁石ＡとＢがありＣの部分は常に重なり合う所である、アームと磁石と挟着面が一体化で連結されている、磁石とアームの接合部分にレバーが外部に飛び出すように作る。（ｂ）で示すようにＡとＢの磁石が重なる時は挟着面の部分が大きく開いた状態にあり洗濯物を挟むことができる。（ｃ）で示すように新規な洗濯バサミを全体から見た開いた状態の図である。
この持ち方や使い方は親指と人差し指を左右に動かす方法になる。【００１４】  上述したように、新規な洗濯バサミは、新規な洗濯バサミのみならず、文房具用や手芸用の留め具になる。
上述したように新規な洗濯バサミは、手や指の運動器具になり単独の商品になる。
新規な洗濯バサミも水に濡れてもよい材質の物であれば木製以外は可能である。上記したように新規な洗濯バサミは洗濯物を干す為のものであるが、手や指の運動用に老若男女誰でも簡単に気ままに使えるものである、安価で安全であることと軽く小さく持運びも楽にてきる点と、手や指を動かし脳活性できる大きい利点がある。
新規な洗濯バサミの第１の実施例で図１は、親指や人差し指ばかりではなくどの指も上下運動をすることができる。
新規な洗濯バサミの第２の実施例で図５は、親指や人差し指ばかりではなくどの指も前後運動をすることができる。
新規な洗濯バサミの材質を用途別に適宜に作るとお洒落で楽しい商品になる。
【図面の簡単な説明】
【００１５】
【図１】実施の形態に係わる第１実施例の新規な洗濯バサミの持ち方。
【図２】新規な洗濯バサミの正面図。
【図３】新規な洗濯バサミの内部。
【図４】内部部材を機能させた、楕円形型、ハート型の参考図。
【図５】実施の形態に係わる第２実施例の新規な洗濯バサミの持ち方。
【図６】新規な洗濯バサミの第２実施例の正面図。
【図７】新規な洗濯バサミの第２実施例の内部。
【図８】新規な洗濯バサミを吊す。
【符号の説明】
１、      新規な洗濯バサミ
２、３    レバー
４、５    貫通孔
６、７    アームが上、下に動く、出入り口
８、９    アーム
１０、１１  挟着面
１２        吊す
１３        新規な洗濯バサミの第１実施例の本体中心で仕切りがあり押しバネを付ける
１４、１５  押しバネ
Ａ、Ｂ    磁石
Ｃ        磁石の重なる部分
【図１】
2007252890.tif 000003
【図２】
2007252890.tif 000004
【図３】
2007252890.tif 000005
【図４】
2007252890.tif 000006
【図５】
2007252890.tif 000007
【図６】
2007252890.tif 000008
【図７】
2007252890.tif 000009
【図８】
2007252890.tif 000010